(57)【要約】【課題】印刷物のテストパターンを用いて、ＨＤＲ対応の映像撮影機器を調整する。【解決手段】映像撮影機器用テストパターン１は、筐体１０と、照明１１と、ＳＤＲ用パターン１３及びＨＤＲ用パターン１４を同一方向に保持する保持部１２と、ＳＤＲ用パターン１３と、ＨＤＲ用パターン１４とを備え、保持部１２は、照明１１が斜め方向に位置するようにＳＤＲ用パターン１３及びＨＤＲ用パターン１４を保持し、照明１１からの照明光がＨＤＲ用パターン１４に直接入射しないように照明光を遮蔽する段差１５を設けている。【選択図】図１
2019020519.tif 000002
【特許請求の範囲】
【請求項１】
所定のパターンが描かれた第１のテストパターンと、前記第１のテストパターンと同一パターンの第２のテストパターンと、前記第１のテストパターン及び前記第２のテストパターンを同一方向に向けて保持する保持部とを備える映像撮影機器用テストパターンであって、
前記保持部は、照明が斜めに位置するように前記第１のテストパターン及び前記第２のテストパターンを保持し、前記照明からの照明光が前記第２のテストパターンに直接入射しないように前記照明光を遮蔽する遮蔽手段を備えることを特徴とする映像撮影機器用テストパターン。
【請求項２】
前記保持部は、前記遮蔽手段として、段差、溝又は窪みの何れかが形成され、
前記第２のテストパターンは、当該遮蔽手段の底面に保持されていることを特徴とする請求項１に記載の映像撮影機器用テストパターン。
【請求項３】
前記保持部は、同一平面上に前記第１のテストパターン及び前記第２のテストパターンを保持し、
前記遮蔽手段は、前記同一平面に対して垂直で、前記第１のテストパターンと前記第２のテストパターンとの間に配置された遮蔽板であることを特徴とする請求項１に記載の映像撮影機器用テストパターン。
【請求項４】
前記保持部は、一面が開口する筐体内部の開口面に対向する位置に配置され、
前記保持部に直交する前記筐体の内壁面に照明を備えることを特徴とする請求項１から請求項３の何れか一項に記載の映像撮影機器用テストパターン。
【請求項５】
所定のパターンが描かれた第１のテストパターンと、前記第１のテストパターンと同一パターンの第２のテストパターンと、前記第１のテストパターン及び前記第２のテストパターンを同一方向に向けて保持する保持部とを備える映像撮影機器用テストパターンであって、
前記保持部は、照明が背面側に位置するように前記第１のテストパターン及び前記第２のテストパターンを保持し、前記照明からの照明光を透過させる透明素材で形成され、
前記照明と前記第２のテストパターンとの間に配置され、前記照明から前記第２のテストパターンに入射する照明光を減衰させる減衰手段を備えることを特徴とする映像撮影機器用テストパターン。
【請求項６】
前記減衰手段は、前記照明の光軸方向から見て前記第２のテストパターンと重なる位置に、前記第２のテストパターン以上の面積で形成された網点パターンを有し、
前記第２のテストパターンと前記減衰手段との間に配置され、前記減衰手段を通過した照明光を拡散させる拡散板をさらに備えることを特徴とする請求項５に記載の映像撮影機器用テストパターン。
【請求項７】
一面が開口した筐体の開口面に対向する内壁面に照明を備えることを特徴とする請求項５又は請求項６に記載の映像撮影機器用テストパターン。
【発明の詳細な説明】
【技術分野】
【０００１】
本発明は、映像撮影機器用テストパターンに関する。
【背景技術】
【０００２】
従来より、所定のパターンが表面に描かれた印刷物が、カメラ等の映像撮影機器を調整するためのテストパターンとして用いられている（例えば、非特許文献１）。一般的なテストパターンとして使用される印刷物は、ＳＤＲ（Standard Dynamic Range）、つまり、数１００程度のダイナミックレンジに対応している。
【０００３】
近年、映像撮影機器のＨＤＲ（High Dynamic Range）対応が進みつつある。このＨＤＲでは、ダイナミックレンジが１０，０００以上の画像を取り扱うことを可能にする。そこで、ＨＤＲ対応の映像撮影機器を調整する場合、１０，０００以上のダイナミックレンジまで対応するテストパターンを用いる必要がある。
【先行技術文献】
【非特許文献】
【０００４】
【非特許文献１】“標準チャート”、［online］、大日本印刷、［平成２９年７月３日検索］、インターネット〈URL：http://www.dnp.co.jp/about/business/fine/product1_01.html>
【発明の概要】
【発明が解決しようとする課題】
【０００５】
しかし、従来のテストパターンは、ダイナミックレンジが数１００程度にとどまり、ＨＤＲのような広ダイナミックレンジに対応できない。ここで、ＨＤＲ用電子ディスプレイを用いた信号表示装置をＨＤＲ用テストパターン装置とする手法も提案されているが、その電子ディスプレイが高価であり、電子ディスプレイを安定動作させる必要がある。このため、従来と同様、印刷物のテストパターンを用いて、ＨＤＲ対応の映像撮影機器を調整する手法の実現が望まれている。
【０００６】
そこで、本発明は、印刷物のテストパターンを用いて、ＨＤＲ対応の映像撮影機器を調整できる映像撮影機器用テストパターンを提供することを課題とする。
【課題を解決するための手段】
【０００７】
前記した課題に鑑みて、本発明に係る映像撮影機器用テストパターンは、所定のパターンが描かれた第１のテストパターンと、前記第１のテストパターンと同一パターンの第２のテストパターンと、前記第１のテストパターン及び前記第２のテストパターンを同一方向に向けて保持する保持部とを備える映像撮影機器用テストパターンであって、前記保持部は、照明が斜めに位置するように前記第１のテストパターン及び前記第２のテストパターンを保持し、前記照明からの照明光が前記第２のテストパターンに直接入射しないように前記照明光を遮蔽する遮蔽手段を備える構成とした。
【０００８】
かかる構成によれば、映像撮影機器用テストパターンは、照明光が第２のテストパターンに直接入射しないように照明光を遮蔽するので、照明光が入射する第１のテストパターンで最も明るい部分と、照明光が入射しない第２のテストパターンで最も暗い部分との輝度比が１０，０００程度になる。これにより、映像撮影機器用テストパターンは、印刷物のテストパターンを用いて、１０，０００以上の広ダイナミックレンジを実現できる。
【０００９】
また、前記した課題に鑑みて、本発明に係る映像撮影機器用テストパターンは、所定のパターンが描かれた第１のテストパターンと、前記第１のテストパターンと同一パターンの第２のテストパターンと、前記第１のテストパターン及び前記第２のテストパターンを同一方向に向けて保持する保持部とを備える映像撮影機器用テストパターンであって、前記保持部は、照明が背面側に位置するように前記第１のテストパターン及び前記第２のテストパターンを保持し、前記照明からの照明光を透過させる透明素材で形成され、前記照明と前記第２のテストパターンとの間に配置され、前記照明から前記第２のテストパターンに入射する照明光を減衰させる減衰手段を備える構成とした。
【００１０】
かかる構成によれば、映像撮影機器用テストパターンは、第２のテストパターンに入射する照明光を減衰させるので、照明光が減衰しない第１のテストパターンで最も明るい部分と、照明光が減衰する第２のテストパターンで最も暗い部分との輝度比が１０，０００程度になる。これにより、映像撮影機器用テストパターンは、印刷物のテストパターンを用いて、１０，０００以上の広ダイナミックレンジを実現できる。
【発明の効果】
【００１１】
本発明によれば、以下のような優れた効果を奏する。
本発明にかかる映像撮影機器用テストパターンは、第１のテストパターンで最も明るい部分と、第２のテストパターンで最も暗い部分との輝度比が１０，０００程度になり、１０，０００以上の広ダイナミックレンジを実現できる。これにより、本発明にかかる映像撮影機器用テストパターンは、印刷物のテストパターンを用いて、ＨＤＲ対応の映像撮影機器を調整できる
【図面の簡単な説明】
【００１２】
【図１】第１実施形態にかかる映像撮影機器用テストパターンを側面から見たときの概略図である。
【図２】図１の映像撮影機器用テストパターンを正面から見たときの概略図である。
【図３】第２実施形態及び第３実施形態にかかる映像撮影機器用テストパターンを側面から見たときの概略図である。
【図４】第２実施形態にかかる映像撮影機器用テストパターンを正面から見たときの概略図である。
【図５】第３実施形態にかかる映像撮影機器用テストパターンを正面から見たときの概略図である。
【図６】第４実施形態にかかる映像撮影機器用テストパターンを側面から見たときの概略図である。
【図７】図６の映像撮影機器用テストパターンを正面から見たときの概略図である。
【図８】第５実施形態にかかる映像撮影機器用テストパターンを側面から見たときの概略図である。
【図９】図８の映像撮影機器用テストパターンを正面から見たときの概略図である。
【発明を実施するための形態】
【００１３】
以下、本発明の各実施形態について、適宜図面を参照しながら詳細に説明する。なお、各実施形態において、同一の部材には同一の符号を付し、説明を省略した。
【００１４】
（第１実施形態）
［映像撮影機器用テストパターンの構成］
図１，図２を参照し、第１実施形態にかかる映像撮影機器用テストパターン１の構成について説明する。
なお、各図では、水平方向（Ｘ軸方向）、垂直方向（Ｙ軸方向）、奥行方向（Ｚ軸方向）を図示した。
また、図１では、映像撮影機器用テストパターン１の内部構造が分かるように筐体１０の側面を取り除いて図示した（図３，図６，図８も同様）。
【００１５】
映像撮影機器用テストパターン１は、ＨＤＲカメラ（映像撮影機器）９を調整するための反射型のテストパターンである。図１に示すように、映像撮影機器用テストパターン１は、保持部１２と、ＳＤＲ用パターン（第１のテストパターン）１３と、ＨＤＲ用パターン（第２のテストパターン）１４とを備える。
なお、本実施形態では、映像撮影機器用テストパターン１は、筐体１０及び照明１１をさらに備え、筐体１０の内部に照明１１及び保持部１２を設ける構成とした。
【００１６】
筐体１０は、後記する照明１１及び保持部１２を収容するものである。本実施形態では、筐体１０は、一面（ＨＤＲカメラ９の側）に開口面を有する直方体状であり、照明１１及び保持部１２を収容可能な内部空間を有する。そして、筐体１０は、上側の内壁面に照明１１が固定され、開口に対向する内壁面に保持部１２が固定されている。つまり、筐体１０では、保持部１２を保持する面に直交する内壁面に照明１１が配置されている。
また、筐体１０の素材は特に制限されず、例えば、アルミ等の金属、プラスティック等の合成樹脂があげられる。
【００１７】
ここで、図１，図２では、映像撮影機器用テストパターン１の寸法として、筐体１０の奥行きＤ、高さＨ及び幅Ｗと、後記する段差１５の高さｈ及び幅ｗと、パターン領域の高さＰＨ及び幅ＰＷとを図示した。これら映像撮影機器用テストパターン１の寸法は、後記する実施例で詳述する。
【００１８】
なお、パターン領域とは、テストパターンとしてＨＤＲカメラ９が１回で撮影する矩形領域のことであり、後記するＳＤＲ用パターン１３及びＨＤＲ用パターン１４が形成された領域又は取り付けられた領域である（図２の破線）。このパターン領域は、ＨＤＲカメラ９と同様のアスペクト比（１６：９）を有する。
【００１９】
照明１１は、照明光を照射するものである。本実施形態では、照明１１は、複数の点光源１１ａが平面状に配列された面光源であることとする。また、照明１１の種類は特に制限されず、例えば、ハロゲンランプ、ＬＥＤ、蛍光灯を用いることができる。
【００２０】
保持部１２は、ＳＤＲ用パターン１３及びＨＤＲ用パターン１４を保持するものである。また、保持部１２は、照明１１からの照明光がＨＤＲ用パターン１４に直接入射しないように、照明光を遮蔽する遮蔽手段を備える。
【００２１】
本実施形態では、保持部１２は、遮蔽手段としての段差１５を備える。つまり、保持部１２は、ＨＤＲカメラ９に近い手前側の上面１２ｆ、及び、ＨＤＲカメラ９から遠い奥側の底面１２ｂとにより、段差１５を形成している。また、段差１５は、垂直方向（Ｙ軸方向）で保持部１２の中央より下側、水平方向（Ｘ軸方向）で保持部１２の左右両端まで形成されている。このように、段差１５は、ＨＤＲ用パターン１４より幅広で、照明１１からの照明光が底面１２ｂに直接入射しない深さで形成されている。
なお、図１では、段差１５の最も奥側に直接入射する照明光を一点鎖線で図示した。
【００２２】
また、保持部１２は、図１に示すように、ＳＤＲ用パターン１３及びＨＤＲ用パターン１４が同一方向となるＨＤＲカメラ９に向くように、ＳＤＲ用パターン１３を上面１２ｆで保持し、ＨＤＲ用パターン１４を底面１２ｂで保持する。ここで、保持部１２では、ＳＤＲ用パターン１３及びＨＤＲ用パターン１４が、垂直方向（Ｙ軸方向）で中央より下側、水平方向（Ｘ軸方向）で中央に配置される。
【００２３】
そして、保持部１２は、ＳＤＲ用パターン１３及びＨＤＲ用パターン１４を保持した状態で、筐体１０の奥側となる内壁面に固定される。段差１５を介して、ＳＤＲ用パターン１３及びＨＤＲ用パターン１４が近傍に位置するので、ＨＤＲカメラ９の撮影画角にＳＤＲ用パターン１３及びＨＤＲ用パターン１４が収まり易くなる。
【００２４】
ここで、ＳＤＲ用パターン１３及びＨＤＲ用パターン１４に対し、照明１１が正面に位置する場合、照明１１からの照明光がＨＤＲ用パターン１４に入射してしまい、１０，０００以上の広ダイナミックレンジを実現できず、ＨＤＲに対応できなくなる。このため、保持部１２は、ＳＤＲ用パターン１３及びＨＤＲ用パターン１４に対して、照明１１が斜めに位置するように、段差１５を介して、ＳＤＲ用パターン１３及びＨＤＲ用パターン１４を保持する。本実施形態では、ＳＤＲ用パターン１３及びＨＤＲ用パターン１４に対して、照明１１が約４５°、斜めに位置する。
【００２５】
なお、保持部１２は、ＳＤＲ用パターン１３及びＨＤＲ用パターン１４を保持する方法が特に制限されない。例えば、保持部１２は、ＳＤＲ用パターン１３及びＨＤＲ用パターン１４を保持するホルダ（不図示）を設けてもよい。この他、保持部１２は、ＳＤＲ用パターン１３及びＨＤＲ用パターン１４を直接印刷してもよく、接着剤等により接着してもよい。
また、保持部１２は、筐体１０と別々の構成として図示したが、筐体１０及び保持部１２を一体化してもよい。
【００２６】
ＳＤＲ用パターン１３は、ＳＤＲのダイナミックレンジに対応するテストパターンである。ここで、ＳＤＲ用パターン１３は、手前側の上面１２ｆに保持されているので、照明１１との間に遮蔽するものがなく、照明１１からの照明光が直接入射する。
【００２７】
ＨＤＲ用パターン１４は、ＨＤＲのダイナミックレンジに対応するテストパターンである。また、ＨＤＲ用パターン１４は、段差１５を介して、奥側の底面１２ｂに保持されているので、照明１１から見て段差１５に隠れることになり、照明１１からの照明光が直接入射しない。これにより、ＨＤＲカメラ９が、ＳＤＲ用パターン１３に比べて、暗い状態でＨＤＲ用パターン１４を撮影することになる。
【００２８】
ここで、ＳＤＲ用パターン１３及びＨＤＲ用パターン１４は、反射型のテストパターン（印刷物）であり、所定のテストパターンが金属、合成樹脂又は紙に印刷されている。また、ＳＤＲ用パターン１３及びＨＤＲ用パターン１４は、サイズや表面に描かれたパターンなどが全て同一である。本実施形態では、ＳＤＲ用パターン１３及びＨＤＲ用パターン１４は、長方形状のグレースケールパターンであることとする。
【００２９】
［作用・効果］
以上のように、映像撮影機器用テストパターン１は、照明光がＨＤＲ用パターン１４に直接入射しないので、ＨＤＲ用パターン１４での照度を１／１００程度にできる。また、ＳＤＲ用パターン１３及びＨＤＲ用パターン１４では、それぞれのダイナミックレンジ（つまり、最も明るい部分と最も暗い部分との輝度比）が１００程度である。従って、映像撮影機器用テストパターン１では、ＳＤＲ用パターン１３で最も明るい部分と、ＨＤＲ用パターン１４で最も暗い部分との輝度比が１０，０００程度になり、１０，０００以上の広ダイナミックレンジを実現できる。これにより、映像撮影機器用テストパターン１は、印刷物のＳＤＲ用パターン１３及びＨＤＲ用パターン１４を用いて、ＨＤＲカメラ９を調整することができる。
【００３０】
さらに、映像撮影機器用テストパターン１は、高価な電子ディスプレイを必要としないので、低コストで実現できる。さらに、映像撮影機器用テストパターン１は、電子ディスプレイを安定動作させる必要もなく、簡易にＨＤＲカメラ９を調整することができる。
【００３１】
（第２実施形態）
図３，図４を参照し、第２実施形態にかかる映像撮影機器用テストパターン１Ｂの構成について、第１実施形態と異なる点を説明する。
映像撮影機器用テストパターン１Ｂは、遮蔽手段として、段差１５（図１）の代わりに溝１６を備える点が、第１実施形態と異なる。
【００３２】
図３に示すように、映像撮影機器用テストパターン１Ｂは、保持部１２Ｂと、ＳＤＲ用パターン１３と、ＨＤＲ用パターン１４とを備える。本実施形態では、映像撮影機器用テストパターン１Ｂは、筐体１０及び照明１１をさらに備え、筐体１０の内部に照明１１及び保持部１２Ｂを設けている。
なお、保持部１２Ｂ以外の各構成は、第１実施形態と同様のため、説明を省略する。
【００３３】
本実施形態では、保持部１２Ｂは、遮蔽手段としての溝１６を備える。つまり、保持部１２Ｂは、ＨＤＲカメラ９に近い手前側の上面１２ｆ、及び、ＨＤＲカメラ９から遠い奥側の底面１２ｂとにより、溝１６が形成されている。また、溝１６は、垂直方向（Ｙ軸方向）で保持部１２Ｂの中央より下側、水平方向（Ｘ軸方向）で保持部１２Ｂの左右両端まで形成されている。このように、溝１６は、ＨＤＲ用パターン１４より幅広で、照明１１からの照明光が底面１２ｂに直接入射しない深さで形成されている。
【００３４】
ここで、ＳＤＲ用パターン１３は、手前側の上面１２ｆに保持されているので、照明１１との間に遮蔽するものがなく、照明１１からの照明光が直接入射する。
一方、ＨＤＲ用パターン１４は、溝１６を介して、奥側の底面１２ｂに保持されているので、照明１１から見て溝１６に隠れることになり、照明１１からの照明光が直接入射しない。
これにより、ＨＤＲカメラ９が、ＳＤＲ用パターン１３に比べて、暗い状態でＨＤＲ用パターン１４を撮影することになる。
【００３５】
［作用・効果］
以上のように、映像撮影機器用テストパターン１Ｂは、第１実施形態と同様、１０，０００以上の広ダイナミックレンジを実現できるので、印刷物のＳＤＲ用パターン１３及びＨＤＲ用パターン１４を用いて、ＨＤＲカメラ９を調整することができる。
さらに、映像撮影機器用テストパターン１Ｂは、電子ディスプレイを必要としないので、低コストで簡易にＨＤＲカメラ９を調整することができる。
【００３６】
（第３実施形態）
図３，図５を参照し、第３実施形態にかかる映像撮影機器用テストパターン１Ｃの構成について、第２実施形態と異なる点を説明する。
映像撮影機器用テストパターン１Ｃは、遮蔽手段として、溝１６の代わりに窪み１７を備える点が、第２実施形態と異なる。
なお、本実施形態では、映像撮影機器用テストパターン１Ｃを縦断面で見た場合、溝１６及び窪み１７が略同じ状態となるため、図３を流用した。
【００３７】
図３に示すように、映像撮影機器用テストパターン１Ｃは、保持部１２Ｃと、ＳＤＲ用パターン１３と、ＨＤＲ用パターン１４とを備える。本実施形態では、映像撮影機器用テストパターン１Ｃは、筐体１０及び照明１１をさらに備え、筐体１０の内部に照明１１及び保持部１２Ｃを設けている。
なお、保持部１２Ｃ以外の各構成は、第２実施形態と同様のため、説明を省略する。
【００３８】
本実施形態では、保持部１２Ｃは、遮蔽手段としての窪み１７を備える。つまり、窪み１７は、保持部１２Ｃの上面１２ｆを矩形状に窪ませて、底面１２ｂを形成した凹部である。また、窪み１７は、正面視した際に長方形状になり、垂直方向（Ｙ軸方向）で保持部１２Ｃの中央より下側、水平方向（Ｘ軸方向）で保持部１２Ｃの中央に形成されている。このように、窪み１７は、ＨＤＲ用パターン１４より縦横に大きく、照明１１からの照明光が底面１２ｂに直接入射しない深さで形成されている。
【００３９】
ここで、ＳＤＲ用パターン１３は、手前側の上面１２ｆに保持されているので、照明１１との間に遮蔽するものがなく、照明１１からの照明光が直接入射する。
一方、ＨＤＲ用パターン１４は、窪み１７に収まるように奥側の底面１２ｂに保持されているので、照明１１から見て窪み１７に隠れることになり、照明１１からの照明光が直接入射しない。
これにより、ＨＤＲカメラ９が、ＳＤＲ用パターン１３に比べて、暗い状態でＨＤＲ用パターン１４を撮影することになる。
【００４０】
［作用・効果］
以上のように、映像撮影機器用テストパターン１Ｃは、第２実施形態と同様、１０，０００以上の広ダイナミックレンジを実現できるので、印刷物のＳＤＲ用パターン１３及びＨＤＲ用パターン１４を用いて、ＨＤＲカメラ９を調整することができる。
さらに、映像撮影機器用テストパターン１Ｃは、電子ディスプレイを必要としないので、低コストで簡易にＨＤＲカメラ９を調整することができる。
【００４１】
（第４実施形態）
図６，図７を参照し、第４実施形態にかかる映像撮影機器用テストパターン１Ｄの構成について、第１実施形態と異なる点を説明する。
映像撮影機器用テストパターン１Ｄは、遮蔽手段として、段差１５（図１）の代わりに遮蔽板１８を備える点が、第１実施形態と異なる。
【００４２】
図６に示すように、映像撮影機器用テストパターン１Ｄは、保持部１２Ｄと、ＳＤＲ用パターン１３と、ＨＤＲ用パターン１４とを備える。本実施形態では、映像撮影機器用テストパターン１Ｄは、筐体１０及び照明１１をさらに備え、筐体１０の内部に照明１１及び保持部１２Ｄを設けている。
なお、保持部１２Ｄ以外の各構成は、第１実施形態と同様のため、説明を省略する。
【００４３】
保持部１２Ｄは、同一平面上にＳＤＲ用パターン１３及びＨＤＲ用パターン１４を保持するものである。本実施形態では、保持部１２Ｄでは、ＳＤＲ用パターン１３及びＨＤＲ用パターン１４が、同一方向となるＨＤＲカメラ９に向くように、垂直方向（Ｙ軸方向）で中央より下側に、水平方向（Ｘ軸方向）で中央に配置される。そして、保持部１２Ｄは、ＳＤＲ用パターン１３及びＨＤＲ用パターン１４を保持した状態で、開口に対向する内壁面に配置される。
【００４４】
本実施形態では、保持部１２Ｄは、平板状の部材であると共に、遮蔽手段としての遮蔽板１８を備える。この遮蔽板１８は、ＳＤＲ用パターン１３とＨＤＲ用パターン１４との間に配置されている。また、遮蔽板１８は、ＳＤＲ用パターン１３及びＨＤＲ用パターン１４が配置された平板部材に対して、垂直になっている。これにより、遮蔽板１８が配置され、保持部１２Ｄに対して照明１１が斜めに位置するので、照明１１がＨＤＲ用パターン１４に直接入射しないように、照明光が遮蔽板１８で遮蔽される。
【００４５】
なお、遮蔽板１８の幅及び高さは、ＨＤＲ用パターン１４に照明光が直接入射しなければ、特に制限されない。例えば、遮蔽板１８は、図７に示すように、ＨＤＲ用パターン１４への照明光を遮蔽できる最小範囲のみ形成してもよく、保持部１２の左右両端まで形成してもよい（不図示）。
また、図７では、遮蔽板１８の両端を通過する照明光を一点鎖線で図示した。
また、保持部１２Ｄを平板部材として図示したが、筐体１０の奥側内壁面を保持部１２Ｄとして利用してもよい。
【００４６】
ここで、ＳＤＲ用パターン１３は、遮蔽板１８の上側に保持されているので、照明１１との間に遮蔽するものがなく、照明１１からの照明光が直接入射する。
一方、ＨＤＲ用パターン１４は、遮蔽板１８の下側に保持されているので、照明１１から見て遮蔽板１８に隠れることになり、照明１１からの照明光が直接入射しない。
これにより、ＨＤＲカメラ９が、ＳＤＲ用パターン１３に比べて、暗い状態でＨＤＲ用パターン１４を撮影することになる。
【００４７】
［作用・効果］
以上のように、映像撮影機器用テストパターン１Ｄは、第１実施形態と同様、１０，０００以上の広ダイナミックレンジを実現できるので、印刷物のＳＤＲ用パターン１３及びＨＤＲ用パターン１４を用いて、ＨＤＲカメラ９を調整することができる。
さらに、映像撮影機器用テストパターン１Ｄは、電子ディスプレイを必要としないので、低コストで簡易にＨＤＲカメラ９を調整することができる。
【００４８】
（第５実施形態）
図８，図９を参照し、第５実施形態にかかる映像撮影機器用テストパターン２の構成について説明する。
なお、図９では、図面を見やすくするため、照明２１、保持部２２及び拡散板２６を取り除いて図示した。
【００４９】
映像撮影機器用テストパターン２は、ＨＤＲカメラ９を調整するための透過型のテストパターンである。図８に示すように、映像撮影機器用テストパターン２は、保持部２２と、ＳＤＲ用パターン（第１のテストパターン）２３と、ＨＤＲ用パターン（第２のテストパターン）２４と、減衰手段２５と、拡散板２６とを備える。
なお、本実施形態では、映像撮影機器用テストパターン２は、筐体２０及び照明２１をさらに備え、筐体２０の内部に照明２１及び保持部２２を設ける構成とした。
【００５０】
筐体２０は、後記する照明２１、保持部２２、減衰手段２５及び拡散板２６を収容するものである。本実施形態では、筐体２０は、一面（ＨＤＲカメラ９の側）に開口を有する箱状であり、内部空間を有する。そして、筐体１０は、奥側から順に、照明２１、減衰手段２５、拡散板２６、保持部２２が配置されている。他の点、筐体２０は、第１実施形態と同様のため、これ以上の説明を省略する。
【００５１】
照明２１は、照明光を照射するものである。本実施形態では、照明２１は、ＨＤＲカメラ９から見て保持部２２の背面側、つまり、筐体２０の奥側に配置されている。また、照明２１は、筐体２０の内部に収まる高さ、幅を有する。
他の点、照明２１は、第１実施形態と同様のため、これ以上の説明を省略する。
【００５２】
保持部２２は、同一平面上にＳＤＲ用パターン２３及びＨＤＲ用パターン２４を保持するものである。本実施形態では、保持部２２では、ＳＤＲ用パターン２３及びＨＤＲ用パターン２４が、同一方向となるＨＤＲカメラ９に向くように、垂直方向（Ｙ軸方向）で中央から下側にかけて、水平方向（Ｘ軸方向）で中央に配置される。ここで、保持部２２は、照明２１から照明光を透過する透明素材（例えば、アクリル樹脂やガラス）で形成された平板部材である。
【００５３】
ＳＤＲ用パターン２３は、ＳＤＲのダイナミックレンジに対応するテストパターンである。すなわち、ＳＤＲ用パターン２３は、保持部２２の中央に保持されているので、後記する網点パターン２５ａで照明２１からの照明光が減衰されずに入射する。
なお、ＳＤＲ用パターン２３は、透過型のテストパターンであること以外、第１実施形態と同様のため、これ以上の説明を省略する。
【００５４】
ＨＤＲ用パターン２４は、ＨＤＲのダイナミックレンジに対応するテストパターンである。また、ＨＤＲ用パターン２４は、照明２１の光軸方向から見て網点パターン２５ａと重なるように、保持部２２の下側に保持されている。従って、ＨＤＲ用パターン２４は、網点パターン２５ａで照明２１からの照明光が減衰されて入射する。これにより、ＨＤＲカメラ９が、ＳＤＲ用パターン２３に比べて、暗い状態でＨＤＲ用パターン２４を撮影することになる。
なお、ＨＤＲ用パターン２４は、透過型のテストパターンであること以外、第１実施形態と同様のため、これ以上の説明を省略する。
【００５５】
減衰手段２５は、照明２１とＨＤＲ用パターン２４との間に配置され、照明２１からＨＤＲ用パターン２４に入射する照明光を減衰させるものである。
本実施形態では、減衰手段２５は、照明光を透過する透明素材（例えば、アクリル樹脂やガラス）で形成された平板部材である。また、減衰手段２５は、照明２１の光軸方向から見て、長方形状の網点パターン２５ａがＨＤＲ用パターン２４と重なる位置に形成されている。
【００５６】
この網点パターン２５ａは、照明光を減衰させるために、点（ドット）を網目状に黒インクで印刷したものである。ここで、網点パターン２５ａは、ＨＤＲ用パターン２４以上の面積であればよい。
なお、図８では、説明を分かり易くするため、奥行方向に網点パターン２５ａを図示したが、実際には減衰手段２５の平面に網点パターン２５ａを印刷すればよい。
【００５７】
拡散板２６は、ＨＤＲ用パターン２４と減衰手段２５との間に配置され、減衰手段２５を通過した照明光を拡散させるものである。ここで、拡散板２６は、網点パターン２５ａにおいて、点が有る箇所と点がなく透明の箇所との間で照明光の強度を均一にすることを目的としている。
【００５８】
なお、拡散板２６は、照明光の強度を均一にする目的で配置しているので、網点パターン２５ａより広い面積であればよく、照明２１と同一サイズでなくともよい。
また、図８では、図面を見やすくするため、保持部２２、減衰手段２５及び拡散板２６を離して図示した。実際には、数ｍｍ以下の短い間隔でこれらを隣接配置することで、網点パターン２５ａを介さずに、照明２１からの照明光がＨＤＲ用パターン２４に直接入射する事態を避けている。
【００５９】
［作用・効果］
以上のように、映像撮影機器用テストパターン２は、ＨＤＲ用パターン２４に入射する照明光が減衰するので、ＨＤＲ用パターン２４での照度を１／１００程度にできる。また、ＳＤＲ用パターン２３及びＨＤＲ用パターン２４では、それぞれのダイナミックレンジが１００程度である。従って、映像撮影機器用テストパターン２では、ＳＤＲ用パターン２３で最も明るい部分と、ＨＤＲ用パターン２４で最も暗い部分との輝度比が１０，０００程度になり、１０，０００以上の広ダイナミックレンジを実現できる。これにより、映像撮影機器用テストパターン２は、印刷物のＳＤＲ用パターン２３及びＨＤＲ用パターン２４を用いて、ＨＤＲカメラ９を調整することができる。
【００６０】
さらに、映像撮影機器用テストパターン２は、高価な電子ディスプレイを必要としないので、低コストで実現できる。さらに、映像撮影機器用テストパターン２は、電子ディスプレイを安定動作させる必要もなく、簡易にＨＤＲカメラ９を調整することができる。
【００６１】
（実施例）
本発明の実施例として、映像撮影機器用テストパターン１の寸法を説明する。
図１に示すように、筐体１０の奥行きＤが６００ｍｍ、筐体１０の高さＨが６００ｍｍ、筐体１０の幅Ｗが４００ｍｍである。
照明１１及びＨＤＲ用パターン１４の位置関係に依存するが、保持部１２において、段差１５の高さｈと幅ｗの比が１：１である。具体的には、保持部１２において、段差１５の高さｈが１００ｍｍ、段差１５の幅ｗが１００ｍｍである。
パターン領域の高さＰＨが約２００ｍｍ、パターン領域の幅ＰＷが約３５５ｍｍなので、パターン領域の幅ＰＷと高さＰＨの比が１６：９となる。
【００６２】
前記寸法とすることで、映像撮影機器用テストパターン１では、照明１１からの照明光がＨＤＲ用パターン１４に直接入射することがなく、１０，０００以上の広ダイナミックレンジを実現できる。
【００６３】
（変形例）
以上、本発明の各実施形態を詳述してきたが、本発明は前記した各実施形態に限られるものではなく、本発明の要旨を逸脱しない範囲の設計変更等も含まれる。
前記した各実施形態では、照明が面光源であることとして説明したが、本発明は、これに限定されない。例えば、照明が線光源又は点光源であってもよい。
【００６４】
前記した各実施形態では、映像撮影機器がＨＤＲカメラであることとして説明したが、本発明は、これに限定されない。つまり、映像撮影機器は、ＨＤＲ映像を撮影する映像機器であればよい。
【００６５】
前記した各実施形態では、ＳＤＲ用パターン及びＨＤＲ用パターンがグレースケールパターンであることとして説明したが、本発明は、これに限定されない。例えば、ＳＤＲ用パターン及びＨＤＲ用がカラーバーパターンであってもよい。
【００６６】
前記した第１〜第４実施形態では、ＳＤＲ用パターン及びＨＤＲ用パターンに対し、照明が上側に位置することとして説明したが、本発明は、これに限定されない。つまり、照明は、ＳＤＲ用パターン及びＨＤＲ用パターンに対し、下側又は左右の側に位置してもよい。この場合、照明の位置に応じて、溝や遮蔽板の向きを調整することは言うまでもない。
【００６７】
前記した第５実施形態では、網点パターンで照明光を減衰させることとして説明したが、本発明は、これに限定されない。例えば、減衰手段表面の所定範囲を単色（例えば、灰色）で塗り、照明光を減衰させてもよい。この場合、単色領域が照明光を均一に減衰させるため、拡散板を備えずともよい。
【符号の説明】
【００６８】
１，２  映像撮影機器用テストパターン
１０，２０  筐体
１１，２１  照明
１２，２２  保持部
１３，２３  ＳＤＲ用パターン（第１のテストパターン）
１４，２４  ＨＤＲ用パターン（第２のテストパターン）
１５  段差（遮蔽手段）
１６  溝（遮蔽手段）
１７  窪み（遮蔽手段）
１８  遮蔽板（遮蔽手段）
２５  減衰手段
２５ａ  網点パターン
２６  拡散板
【図１】
2019020519.tif 000003
【図２】
2019020519.tif 000004
【図３】
2019020519.tif 000005
【図４】
2019020519.tif 000006
【図５】
2019020519.tif 000007
【図６】
2019020519.tif 000008
【図７】
2019020519.tif 000009
【図８】
2019020519.tif 000010
【図９】
2019020519.tif 000011